(57)【要約】      （修正有）【課題】レバーによる遮蔽が解除されると、フックの開口側が開放状態に保持され、物干し竿に掛けたり外したりする際に、そのレバーに対する特別な操作が必要でない、物干し用のハンガーを提供する。【解決手段】本体２と、先端部３１１を有する引っ掛け部３１となり、且つ、該先端部と前記本体との間に開口３０が形成されているフック３と、両端を有し、その一端が前記本体に付勢的に枢支されており、他端が、前記開口を開放する位置から前記開口を遮蔽する位置まで前記付勢と対抗的に揺動されることができるように構成されているレバーと、前記フックの先端部に設けられており、且つ、前記レバーの他端が前記開口を遮蔽する位置まで搖動されると、該他端を受け止めることができ、また、所定の操作を受けると、該受止めを解除できるように形成されている留め具と、を備えてハンガーを構成する。【選択図】図３
0003158612.tif 000002
【実用新案登録請求の範囲】
【請求項１】
衣類を掛けて保持するための本体と、
前記本体における上端縁の中間近くより上へ延びてから一側に曲がり、先端部を有する引っ掛け部となり、且つ、該先端部と前記本体との間に開口が形成されているフックと、
両端を有し、その一端が前記本体に付勢的に枢支されており、他端が、前記開口を開放する位置から前記開口を遮蔽する位置まで前記付勢と対抗的に揺動されることができるように構成されているレバーと、
前記フックの先端部に設けられており、且つ、前記レバーの他端が前記開口を遮蔽する位置まで搖動されると、該他端を受け止めることができ、また、所定の操作を受けると、該受止めを解除することができるように構成されている留め具と、を備えていることを特徴とするハンガー。
【請求項２】
前記レバーは、付勢手段としての捻りバネがついており、
また、前記開放位置は、前記レバーが、前記捻りバネの付勢により前記本体の面上近くまで傾く状態になる位置であり、
前記遮蔽位置は、前記レバーが立ち上がる姿勢になる状態であることを特徴とする、請求項１に記載のハンガー。
【請求項３】
前記留め具は、前記フックの先端部に設置されているケース体と、前記ケース体に上下移動可能に内蔵され、且つ、コイルバネの付勢により、通常は、その下端部が前記ケース体の下方に突出している止め栓と、を備えており、
また、前記止め栓の前記下端部は先細りの円錐形になっており、
前記レバーの前記他端は前記遮蔽位置の方向から前記開放位置の方向へ曲がるアーク状になっている上、搖動されて前記止め栓の前記下端部に当たると、前記アーク状部分と前記円錐形部分との間のカム作用によって、前記止め栓を前記コイルバネの付勢に対抗させて一時的に上動させ、乗り越えることができ、また、乗り越えてから前記搖動をやめても、前記捻りバネの付勢による開放位置への搖動が、前記コイルバネの付勢により撥ね返って下動する止め栓に止められるように構成されていることを特徴とする、請求項２に記載のハンガー。
【請求項４】
前記ケース体の側壁には上下に延びている長穴が開けてあり、前記止め栓には操作部が付設されており、前記操作部は横方向に延びて前記長穴から外へ突出しており、また、前記止め栓と前記ケース体との構成関係は、前記操作部が前記長穴に沿って上動されると、前記止め栓の前記下端部を前記ケース体の方に引っ込ませて、前記止め栓の前記レバーに対する止めを解除することができるようになっていることを特徴とする、請求項３に記載のハンガー。
【請求項５】
前記レバーは、前記他端が前記止め栓を前記コイルバネの付勢に対抗させて一時的に上動させて乗り越えた後、引き続いて前記フックの、前記本体部への付け根に近い箇所に当接するまで搖動されることができるように配置構成されていることを特徴とする、請求項４に記載のハンガー。
【請求項６】
前記ケース体は、
前記フックの先端面に下へ突出するように設置されている係止壁と、
横から前記係止壁に取り付けられて該係止壁と共に前記ケース体を組み立てることができるように構成されているフレームと、からなっていることを特徴とする、請求項３に記載のハンガー。
【請求項７】
前記ケース体は、四方形底板と、前記四方形底板の周縁に沿っている四つの周壁からなり、
前記係止壁は前記四つの周壁のうちの一つであり、
前記フレームは、前記四方形底板と、前記四つの周壁における他の三つとからなっており、
前記四方形底板には、前記止め栓の前記下端部が進出できる通孔が形成されており、
また、前記止め栓の、前記下端部の直上に、前記通孔より大きくて、前記止め栓が下動すると、前記四方形底板の、前記通孔周縁に止められて前記止め栓の進出を制限することができるフランジが張り出していることを特徴とする、請求項６に記載のハンガー。
【請求項８】
前記フックの先端面に、一対の案内溝が、互いに平行し、且つ、前記係止壁の両端近くから垂直に延びるように形成されており、
前記フレームの三つの周壁における、互いに対面している二つの内周面の上端縁近くには、一対の係止条が、それぞれ前記一対の案内溝の対応する一つに挿入できるように突起しており、それにより、フレームは、前記一対の案内溝に対する前記一対の係止条を案内することで、前記フックの先端面に取り付け、前記係止壁と共に前記ケース体を組み立てることができることを特徴とする、請求項７に記載のハンガー。
【考案の詳細な説明】
【技術分野】
【０００１】
本考案は、ハンガーに関し、特に、使用時に風で物干し竿などから外れて落下する虞れのない物干し用のハンガーに関する。
【背景技術】
【０００２】
物干し用のハンガーとして、図１に示されているようなものがあり、このようなハンガーは、風で物干し竿などから外れて落下する虞れがないので、既によく使用されている。
【０００３】
前記図示のハンガーは、衣類などを掛けて保持する本体１１の中間近くから立ち上がっているフック部１２の開口側に、レバー１３が枢支されている。このレバー１３は、通常、フック部１２の開口側を付勢的に遮蔽しているが、手操作により遮蔽を解除し、フック部１２の開口側を開放させることができるように構成されている。
【０００４】
このような構成により、このハンガーは、そのレバー１３でフック部１２の開口側を遮蔽している通常時において、風が吹いても、物干し竿６から外れて落下する虞れがなく、また、その操作部１３１が図中の下方に押されてそのレバー１３を左方の開放位置へ揺動させることで、そのフック部１２の開口側が開放され、全体が物干し竿６から外され得る構造になっているので、実用性は高いと評価されている。
【０００５】
しかしながら、この従来のハンガーを物干し竿６に掛けたり外したりするには、手で操作部１３１を掴み、前記付勢に対抗するように力を加えて、前記レバーを開放位置に保持する必要があり、特に、物干し竿が手の届かない高所に掛け渡されている場合の使用においてとても不便である。
【考案の概要】
【考案が解決しようとする課題】
【０００６】
前記問題点に鑑みて、本考案は、レバーによる遮蔽が解除された後、特に該レバーを遮蔽の位置に戻さなければ、そのフックの開口側は開放状態に保持され、物干し竿に掛けたり外したりする際に、レバーに対する特別な操作が必要でない、物干し用のハンガーの提供を目的とする。
【課題を解決するための手段】
【０００７】
前記目的を達成するために、本考案は、衣類を掛けて保持するための本体と、前記本体における上端縁の中間近くより上へ延びてから一側に曲がり、先端部を有する引っ掛け部となり、且つ、該先端部と前記本体との間に開口が形成されているフックと、両端を有し、その一端が前記本体に付勢的に枢支されており、他端が、前記開口を開放する位置から前記開口を遮蔽する位置まで前記付勢と対抗的に揺動されることができるように構成されているレバーと、前記フックの先端部に設けられており、且つ、前記レバーの他端が前記開口を遮蔽する位置まで搖動されると、該他端を受け止めることができ、また、所定の操作を受けると、該受止めを解除することができるように構成されている留め具と、を備えていることを特徴とするハンガーを提供する。
【０００８】
本考案の実施形態として、前記レバーは、付勢手段としての捻りバネがついており、また、前記開放位置は、前記レバーが、前記捻りバネの付勢により前記本体の面上近くまで傾く状態になる位置であり、前記遮蔽位置は、前記レバーが立ち上がる状態になる位置であるとする。
【０００９】
また、本考案の実施形態として、前記留め具は、前記フックの先端部に設置されているケース体と、前記ケース体に上下移動可能に内蔵され、且つ、コイルバネの付勢により、通常、その下端部が前記ケース体の下方に突出している止め栓と、を備えており、また、前記止め栓の前記下端部は先細りの円錐形になっている。前記レバーの前記他端は前記遮蔽位置の方向から前記開放位置の方向へ曲がるアーク状になっている上、搖動されて前記止め栓の前記下端部に当たると、前記アーク状部分と前記円錐形部分との間のカム作用によって、前記止め栓を前記コイルバネの付勢に対抗させて一時的に上動させ、乗り越えることができ、また、乗り越えてから前記搖動をやめても、前記捻りバネの付勢による開放位置への搖動が、前記コイルバネの付勢により撥ね返って下動する止め栓に止められるように構成されているものも挙げられる。
【考案の効果】
【００１０】
上記構成による本考案のハンガーの使用において、そのレバーは、フックの開口側を遮蔽する場合は、該レバーを開放位置から遮蔽位置へ強制的に揺動させることで始めて、留め具で受け止めることができ、フックの開口側を開放する場合は、前記留め具による受止めを解除することのみで、前記レバーを自動的に遮蔽位置から開放位置まで移動させることができる上、該レバーをそこに保持してフックの開口側を常に開放するので、物干し竿に掛けたり外したりする際に、従来のハンガーのように操作部などを掴んで押す必要がなく、とても便利である。
【図面の簡単な説明】
【００１１】
【図１】従来のハンガーの斜視図である。
【図２】本考案の実施例の斜視図である。
【図３】図２のハンガーの、開口が遮蔽されている場合の要部拡大図である。
【図４】図２のハンガーにおける留め具とレバーの分解斜視図である。
【図５】図２のハンガーの、レバーが遮蔽位置に位置している場合の要部拡大図である。
【図６】図５のＶＩ―ＶＩ線に沿って裁断した縦断面図である。
【図７】図５のＶＩＩ―ＶＩＩ線に沿って裁断した横断面図である。
【図８】図２のハンガーを物干し竿に掛ける際の説明図である。
【図９】図２のハンガーを物干し竿に掛ける際の説明図である。
【図１０】図２のハンガーを物干し竿から取り外す際の説明図である。
【図１１】図２のハンガーを手の届かない高所に掛け渡されている物干し竿から取り外す際の説明図である。
【図１２】本実施例の変形例の斜視図である。
【考案を実施するための形態】
【００１２】
以下、図２〜１２を参照しながら、本考案の実施例を説明する。
【実施例】
【００１３】
本実施例は、図２及び図３に示すように、衣類を掛けるための本体２と、本体２における上端縁２１の中間近くより上へ延びてから一側に曲がり、先端部３１１を有する引っ掛け部３１となり、且つ、該先端部３１１と本体２との間に開口３０が形成されているフック３と、両端を有し、その一端４１が本体２に付勢的に枢支されているレバー４と、フック３の先端部３１１に設けられており、且つ、レバー４の他端４２を受け止めることができるように構成されている留め具５と、を備えている。
【００１４】
次に、図４及び図６に示すように、留め具５は、フック３の先端部３１１に設けられているケース体５１と、ケース体５１に上下移動可能に内蔵されている止め栓５２とを備えている。
【００１５】
止め栓５２は、上端部５２２が小径で、下端部５２１が先細りの円錐形になり、下端部５２１の直上に、フランジ５２３が横へ張り出している。
【００１６】
また、図６に示すように、止め栓５２における上端部５２２は、コイルバネ７１の下端開口に嵌め込まれる上、該コイルバネ７１を介してフック３の先端面３１２に当接している。止め栓５２の下端部５２１は、コイルバネ７１の付勢により、通常、ケース体５１の下方に突出している。
【００１７】
ケース体５１は、図４に示すように、フック３の先端面３１２から下へ突出するように設置されている係止壁５１１と、横から係止壁５１１に取り付けられて該係止壁５１１と共にケース体５１を組み立てることができるように構成されているフレーム５１２と、からなっている。
【００１８】
詳しくは、ケース体５１は、図４に示すように、四方形底板５００と、四方形底板５００の周縁に沿っている四つの周壁５０１、５０２、５０３、５０４からなっており、その四つの周壁で止め栓５２を囲むように配置されている。
【００１９】
係止壁５１１は、四つの周壁のうち、フック３の内側にある周壁５０１であり、その両側に長さ方向に沿う縦溝５１１１が形成されている。フレーム５１２は、止め栓５２の下端部５２１が進出できる通孔５１２０が形成されている四方形底板５００と、四つの周壁における他の三つの周壁５０２、５０３、５０４とからなっている。
【００２０】
図６に示すように、止め栓５２のフランジ５２３は、四方形底板５００における通孔５１２０より大きく形成されており、止め栓５２が下動すると、四方形底板５００の、通孔５１２０周縁に止められて止め栓５２の進出を制限することができるので、止め栓５２がケース体５１から離脱しないようにすることができる。
【００２１】
図４及び図６に示すように、フック３の先端面３１２には、一対の案内溝３１２２が、互いに平行し、且つ、係止壁５１１の左右両端近くから垂直に延びるように形成されている。
【００２２】
また、図４に示すように、フレーム５１２の三つの周壁における、互いに対面している二つの周壁５０２、５０４の内周面５０２０、５０４０は、その上端縁近くに、一対の係止条５１２２が、それぞれ一対の案内溝３１２２の対応する一つに挿入できるように突起しており、また、該二つの内周面５０２０、５０４０には、一対の縦溝５１１１に嵌め込むことができる一対の突条５１２３が形成されている。
【００２３】
フレーム５１２は、一対の案内溝３１２２に対応する一対の係止条５１２２を案内することで、フック３の先端面３１２に取り付けられ、係止壁５１１と共にケース体５１を組み立てることができ、また、一対の突条５１２３が、一対の縦溝５１１１に嵌め込まれることで、不意な外力によって係止壁５１１から外れることを防止できる。
【００２４】
さらに、図４及び図７に示すように、ケース体５１の周壁における、係止壁５１１と対面している周壁５０３には、上下に延びている長穴５１２４が開けてあり、また、止め栓５２には、操作部５２４が付設されており、該操作部５２４は横方向に延びて長穴５１２４から外へ突出している。
【００２５】
止め栓５２とケース体５１との構成関係は、操作部５２４が長穴５１２４に沿って上動されると、止め栓５２全体がコイルバネ７１の付勢と対抗するように上動され、止め栓５２の下端部５２１をケース体５１の方に引っ込ませることができるようになっている。
【００２６】
図３及び図４に示すように、本体２のフック３がある面の開口３０に近い箇所に突起２３が形成されている。また、突起２３とフック３との間に、一対のラグ２４が、軸４０に貫通されるように形成されている。
【００２７】
図示のように、レバー４の一端４１は、一対のラグ２４の間に、軸４０に貫通されて、捻りバネ７２と共に枢支されている。通常、レバー４は捻りバネ７２の付勢により、本体２における上端縁２１の開口３０より外側に横方向に倒れているので、その他端４２は開口３０を開放させる開放位置（図１０参照）に位置するが、該位置から捻りバネ７２の付勢に対抗して強制的に揺動されると、上端縁２１の開口３０より内側に横方向に倒れることもできるように構成されている。
【００２８】
レバー４は、前記のように揺動されると、その他端４２が、まずケース体５１の下方に突出している止め栓５２の下端部５２１に当接して止められる（図９参照）が、図示のように、開口３０の外へ少々曲がってアーク状になっているので、当接の際、止め栓５２における下端部５２１の円錐形部分とカム関係になるので、止め栓５２を一時上動させて乗り越えることができる。
【００２９】
なお、レバー４は、止め栓５２を上動させて乗り越えてから、引き続き開口３０の内側に揺動されると、当然、本体２における上端縁２１の開口３０より内側に横方向に倒れるものの、引き続き揺動されなければ、捻りバネ７２の付勢により自動的に開口３０の外側方向に揺動し、そこで、コイルバネ７１の付勢により撥ね反って再び突出している止め栓５２の下端部５２１に係止され、開口３０を遮蔽する遮蔽位置で受け止められる。
【００３０】
この遮蔽位置から、レバー４を釈放し、開口３０を開放させようとする場合、止め栓５２における操作部５２４により止め栓５２を上動させ、止め栓５２における下端部５２１のレバー４に対する受止めを解除することで、レバー４は、捻りバネ７２の付勢により自動的に開口位置まで揺動することができる。
【００３１】
本体２における突起２３は、レバー４が開口位置に位置する際に、本体２とレバー４との間に介在して、レバー４の付勢による揺動の本体２に与える直接的な衝撃を防止するための措置である。
【００３２】
以下、本実施例のハンガーの使用について説明する。
【００３３】
図８に示すように、レバー４が遮蔽位置に位置する場合、本実施例のハンガーを物干し竿６に掛けるには、まず、レバー４を、物干し竿６と当接させてから、捻りバネ７２による付勢と対抗させながら図示のようにフック３の付け根近くまで一旦押し倒し、そして、フック３の引っ掛け部３１を物干し竿６に掛けることで、レバー４に対する物干し竿６の阻止が解除される。
【００３４】
図９に示すように、レバー４が開放位置に位置する場合、本実施例のハンガーを物干し竿６に掛けるには、まず、レバー４の他端４２を物干し竿６と当接させてから、上の方に押してレバー４を捻りバネ７２の付勢と対抗させるように揺動させ、そして、止め栓５２の突出している下端部５２１を乗り越えてから、図示のようにフック３の付け根近くまで一旦押し倒し、そして、フック３の引っ掛け部３１を物干し竿６に掛けることで、レバー４に対する物干し竿６の阻止が解除され、レバー４は捻りバネ７２の付勢によって再び遮蔽位置に戻る。それにより、ハンガーを物干し竿６に掛けることができる。
【００３５】
なお、前記物干し竿６が手の届かない高所に掛け渡される場合、ハンガーのレバー４を開放位置に位置させてから、先端がＹ形となったロッド８（図１１参照）などの道具でそのフック３を保持してフック３の引っ掛け部３１を物干し竿６に掛けてから、該道具で、レバー４を開放位置から遮蔽位置まで揺動させることで、止め栓５２がレバー４の他端４２を受け止めることができる。
【００３６】
そして、図１０及び図１１に示すように、本実施例のハンガーは、操作部５２４を上方に移動させるだけで簡単に物干し竿６から取り外すことができる。そのうち、図１１に示すのは、本実施例のハンガーを手の届かない高所に掛け渡されている物干し竿６から取り外しようとする場合であり、まず前記のようなＹ形ロッド８で止め栓５２における操作部５２４を上動させ、レバー４に対する止め栓５２の下端部５２１の受止めを解除すると、レバー４が遮蔽位置から開放位置に揺動し、そして、Ｙ形ロッド８でフック３を保持しながらハンガーを物干し竿６から取り外すことができる。
【００３７】
なお、図１２に示すのは、本実施例のハンガーの変形例である。この変形例における本体２は、上下二段の構造体２５，２７と、該上下二段の構造体２５，２７の間に、該下段の構造体２７が上段の構造体２５にぶら提げられるように設置されている複数のチェーン２６とからなっている。また、図示のように、複数のチェーン２６及び下段の構造体２７には、需要に応じ、複数の洗濯バサミがついている。本変形例のハンガーの他の構成及び使用は、前記実施例と同様である。
【産業上の利用可能性】
【００３８】
上述したように、本考案のハンガーは、その開口を遮蔽できるレバーと、該レバーを受け止める留め具とを備えているので、使用時に物干し竿などから外れて落下する虞れがないばかりでなく、更に、そのレバーによる遮蔽が解除された後、特に該レバーを遮蔽の位置に戻されなければ、そのフックの開口側は開放状態に保持され、物干し竿に掛けたり外したりする際に、そのレバーに対する特別な操作が必要でなく、使用に非常に便利である。
【符号の説明】
【００３９】
２  本体
２１  上端縁
２３  突起
２４  一対のラグ
２５  上段構造体
２６  チェーン
２７  下段構造体
３  フック
３０  開口
３１  引っ掛け部
３１１  先端部
３１２２  一対の案内溝
４  レバー
４０  軸
４１  レバーの一端
４２  レバーの他端
５  留め具
５００  四方形底板
５０１、５０２、５０３、５０４  周壁
５１  ケース体
５１１  係止壁
５１１１  一対の縦溝
５１２  フレーム
５１２０  通孔
５０２０、５０４０  内周面
５１２２  一対の係止条
５１２３  一対の突条
５１２４  長穴
５２  止め栓
５２１  下端部
５２２  上端部
５２３  フランジ
５２４  操作部
６  物干し竿
７１  コイルバネ
７２  捻りバネ
８  Ｙ形ロッド
【図１】
0003158612.tif 000003
【図２】
0003158612.tif 000004
【図３】
0003158612.tif 000005
【図４】
0003158612.tif 000006
【図５】
0003158612.tif 000007
【図６】
0003158612.tif 000008
【図７】
0003158612.tif 000009
【図８】
0003158612.tif 000010
【図９】
0003158612.tif 000011
【図１０】
0003158612.tif 000012
【図１１】
0003158612.tif 000013
【図１２】
0003158612.tif 000014